(57)【特許請求の範囲】
【請求項１】
遊技盤の盤面上に形成された遊技領域から遊技者の位置する前方側とは反対側の後方側に向かう入賞領域へ遊技球を導入するために開口する入賞口を有し、前記遊技盤に固定される遊技機用入賞装置であって、
回動軸線周りで回動することにより、前記入賞口への入賞が不能又は困難な第一位置とその入賞口への入賞が可能又は容易な第二位置とに変位可能な回動体と、
前後方向に直線的に変位する駆動部材を前方側の突出位置と後方側の後退位置とでそれぞれ保持することにより、前記回動体を前記回動軸線周りで回動して前記第一位置と第二位置とに変位させるためのリニアアクチュエータと、
それら回動体とリニアアクチュエータとの間に配置され、前記駆動部材の移動に伴う前後方向への直線的な変位と、前記遊技盤と平行状に延びる揺動軸線周りでの揺動変位とが可能な伝達部材と、
固定側部材と前記伝達部材との間に配置され、前記伝達部材の前後方向の移動を許容しつつ前記揺動軸線周りでの揺動を阻止する揺動阻止部と、前記伝達部材の揺動軸線周りでの揺動を許容しつつ前後方向の移動を阻止する移動阻止部とを含むロック機構とを備え、
前記駆動部材が前記突出位置から後退位置に移動して前記回動体を前記第一位置から第二位置に回動変位させる際、前記突出位置を起点とし前記突出位置と後退位置との中間位置へ至る先行動作により、前記揺動阻止部に沿って前記伝達部材を後方に移動させ、前記中間位置から終点の後退位置へ至る後続動作により、前記移動阻止部において前記伝達部材を前記揺動軸線周りで一方向側に回転させる一方、
前記駆動部材が前記後退位置から突出位置に移動して前記回動体を前記第二位置から第一位置に回動変位させる際、前記後退位置を起点とし前記中間位置へ至る先行動作により、前記移動阻止部において前記伝達部材を前記揺動軸線周りで他方向側に回転させ、前記中間位置から終点の突出位置へ至る後続動作により、前記揺動阻止部に沿って前記伝達部材を前方に移動させることを特徴とする遊技機用入賞装置。
【請求項２】
前記回動体を前記第一位置から第二位置へ回動変位させようとする外力が前記回動体に加えられたとき、前記ロック機構の揺動阻止部が前記伝達部材の揺動軸線周りでの一方向側への回転を阻止する請求項１に記載の遊技機用入賞装置。
【請求項３】
前記駆動部材が前記突出位置と中間位置との間を移動するとき、前記伝達部材の前後方向への移動を案内するとともに、前記突出位置及び中間位置において各々前記伝達部材の移動を停止するための移動案内部が前記固定側部材に一体形成されている請求項１又は２に記載の遊技機用入賞装置。
【請求項４】
前記ロック機構の揺動阻止部と移動阻止部とは各々前記固定側部材に一体形成され、前記伝達部材に一体形成されたロック部が前記揺動阻止部及び／又は移動阻止部と係合する請求項１ないし３のいずれか１項に記載の遊技機用入賞装置。
【請求項５】
前記固定側部材は、前記入賞口を有するとともに前記遊技盤の盤面に固定される台板を含み、
その台板には、前後方向に貫通する挿通孔が前記入賞口に隣接して形成され、
前記回動体が前記第一位置にあるとき、軸状のロック解除具が前記台板及び前記遊技盤を貫通するように前方側から前記挿通孔に挿入され、そのロック解除具の先端部が前記伝達部材を押圧して前記揺動阻止部に沿って後方へ移動させることにより、前記ロック機構のロック状態を解除して前記回動体の前記第一位置から第二位置への回動変位を可能とする請求項４に記載の遊技機用入賞装置。
【請求項６】
前記回動体は、前記遊技盤と平行状で左右方向に延びる回動軸線周りで回動可能に配置され、前記遊技盤に沿って起立することにより前記入賞口を閉鎖して遊技球の前記入賞領域への導入を不能とする第一位置と、前記遊技領域へ交差状に突出することにより前記入賞口を開放して遊技球の前記入賞領域への導入を可能とする第二位置とに変位可能な入賞扉である請求項１ないし５のいずれか１項に記載の遊技機用入賞装置。
【請求項７】
請求項１ないし６のいずれか１項に記載の遊技機用入賞装置が前記遊技盤に固定配置されたことを特徴とする遊技機。
【発明の詳細な説明】
【技術分野】
【０００１】
本発明は、遊技機用入賞装置及びそれを搭載した遊技機に関する。
【背景技術】
【０００２】
遊技機において、例えば一般に「アタッカー」として用いられる入賞装置は、左右を長手方向とする長方形状の大入賞口が、対応する入賞扉（回動体）により開閉可能に塞がれる構造となっている。通常、入賞扉は下縁両端部が入賞装置の前面プレート（台板）等に例えばヒンジ止めされている。このような入賞扉は、ソレノイド等の駆動手段（リニアアクチュエータ）と揺動アーム（伝達部材）等の伝達機構とにより、大入賞口を塞ぐ閉鎖位置（第一位置）と、その閉鎖位置から手前側（遊技者側）に倒伏して大入賞口を開く開放位置（第二位置）との間で回動変位する。
【０００３】
また、「電チュー（電動チューリップ）」と通称される入賞装置は、前面プレート（台板）と前側装飾部との間に配置された一対の回動翼片（回動体）が、前後方向に架設された回動軸を中心に回動する構造となっている。このような回動翼片は、ソレノイド等の駆動手段（リニアアクチュエータ）と揺動アーム（伝達部材）等の伝達機構とにより、中央側に起立して入賞口への入賞が困難な第一位置（閉鎖位置）と、その第一位置から左右方向外側に倒伏して入賞口への入賞が容易な第二位置（開放位置）との間で回動変位する。
【０００４】
これらの入賞装置は賞球の払出しに直接関与するために不正行為（通称、ゴト行為）の標的となり易い。例えば、遊技機内に針金等の異物を挿入し、回動体、ソレノイドのプランジャ、プランジャから回動体へ動力伝達する伝達機構等を操作して、回動体を強制的に開放位置（第二位置）に移動する不正行為により、大量の賞球が不正に獲得されるおそれがある。そこで、従来より、回動体を閉鎖位置（第一位置）から開放位置（第二位置）へ回動変位させる外力が回動体に加えられても、入賞口が不正に開口されないように、回動体を閉鎖位置（第一位置）に維持するためのロック機構（防犯機構）が考慮されている。
【０００５】
その際、伝達機構を複数の揺動アームで構成し、各揺動アームはケース等の固定側部材に揺動軸線が位置固定され、揺動軸線周りでの揺動のみ可能に支持されている。また、それら揺動アーム間あるいはいずれかの揺動アームと回動体との間に、動力伝達のための伝達機構とは別に作用するように上記ロック機構を設置するのが一般的である（特許文献１参照）。
【０００６】
【特許文献１】特開２０００−２７９５８５号公報
【０００７】
このような入賞装置においては、揺動軸線の前後位置が固定されているため、伝達機構の前後方向長さ（全長）が定まれば回動体の回動角も一律に定まり、回動体の回動角が定まれば伝達機構の全長も一律に定まることとなる。したがって、個々の揺動アームや回動体を全体的に縮小しなければ、構造を小型化することは難しい。また、ロック機構が伝達機構とは別に作用するように設けられるために、防犯上安全性の高い部位を選んでロック機構を配置することができるが、部品点数が増加したり、組立工程が煩雑化したりしやすくなり、構造が複雑化・大型化することによって、遊技盤の盤面（遊技領域）を有効活用する上で障害となる場合がある。
【発明の開示】
【発明が解決しようとする課題】
【０００８】
本発明の課題は、伝達部材が前後移動することにより、また駆動力の伝達機能と不正な外力に対するロック機能との兼用構成を備えることにより、構造の簡素化・小型化を図ることのできる遊技機用入賞装置とそれを用いた遊技機を提供することにある。
【課題を解決するための手段及び発明の効果】
【０００９】
上記課題を解決するために、本発明の遊技機用入賞装置は、
遊技盤の盤面上に形成された遊技領域から遊技者の位置する前方側とは反対側の後方側に向かう入賞領域へ遊技球を導入するために開口する入賞口を有し、前記遊技盤に固定される遊技機用入賞装置であって、
回動軸線周りで回動することにより、前記入賞口への入賞が不能又は困難な第一位置とその入賞口への入賞が可能又は容易な第二位置とに変位可能な回動体と、
前後方向に直線的に変位する駆動部材を前方側の突出位置と後方側の後退位置とでそれぞれ保持することにより、前記回動体を前記回動軸線周りで回動して前記第一位置と第二位置とに変位させるためのリニアアクチュエータと、
それら回動体とリニアアクチュエータとの間に配置され、前記駆動部材の移動に伴う前後方向への直線的な変位と、前記遊技盤と平行状に延びる揺動軸線周りでの揺動変位とが可能な伝達部材と、
固定側部材と前記伝達部材との間に配置され、前記伝達部材の前後方向の移動を許容しつつ前記揺動軸線周りでの揺動を阻止する揺動阻止部と、前記伝達部材の揺動軸線周りでの揺動を許容しつつ前後方向の移動を阻止する移動阻止部とを含むロック機構とを備え、
前記駆動部材が前記突出位置から後退位置に移動して前記回動体を前記第一位置から第二位置に回動変位させる際、前記突出位置を起点とし前記突出位置と後退位置との中間位置へ至る先行動作により、前記揺動阻止部に沿って前記伝達部材を後方に移動させ、前記中間位置から終点の後退位置へ至る後続動作により、前記移動阻止部において前記伝達部材を前記揺動軸線周りで一方向側に回転させる一方、
前記駆動部材が前記後退位置から突出位置に移動して前記回動体を前記第二位置から第一位置に回動変位させる際、前記後退位置を起点とし前記中間位置へ至る先行動作により、前記移動阻止部において前記伝達部材を前記揺動軸線周りで他方向側に回転させ、前記中間位置から終点の突出位置へ至る後続動作により、前記揺動阻止部に沿って前記伝達部材を前方に移動させることを特徴とする。
【００１０】
また、大入賞装置（アタッカー）に適用する場合には、
回動体は、遊技盤と平行状で左右方向に延びる回動軸線周りで回動可能に配置され、遊技盤に沿って起立することにより入賞口を閉鎖して遊技球の入賞領域への導入を不能とする第一位置と、遊技領域へ交差状に突出することにより入賞口を開放して遊技球の入賞領域への導入を可能とする第二位置とに変位可能な入賞扉とすることができる。
【００１１】
これらの遊技機用入賞装置では、伝達部材（例えば揺動アーム）や回動体（例えば入賞扉）を全体的に縮小しなくても、伝達部材（の揺動軸線）が前後移動することにより、伝達部材の前後方向長さ（全長）が同等でも回動体の回動角を大きくでき、あるいは回動体の回動角が同等でも伝達部材の全長を短くできるから、入賞装置の構造を小型化することが容易となる。
【００１２】
また、回動体とリニアアクチュエータ（例えば直線駆動型ソレノイド）との間に配置される伝達部材には、固定側部材（例えばケース）との間に揺動阻止部と移動阻止部とを含むロック機構が配置されている。そして、伝達部材とロック機構（揺動阻止部及び移動阻止部）とは、回動体とリニアアクチュエータとを直接又は他部材を介して間接的に接続することによる駆動力の伝達機能と、不正な外力に対するロック機能とを兼ねる構成を備えている。したがって、かかる兼用構成によって、駆動力の伝達機能と不正な外力に対するロック機能とを安定して発揮するとともに、部品点数や組立工数の増加を抑制して入賞装置の簡素化・小型化を図り、ひいては遊技盤の盤面（遊技領域）を有効活用することができるようになる。
【００１３】
しかも、大入賞装置（アタッカー）では、伝達部材の揺動軸線を、回動体の回動軸線と平行状で、かつ駆動部材の移動軸線（例えばプランジャ軸線）と直交状に配置すれば、伝達部材の前後移動及び揺動を円滑に行うことができ、駆動力の伝達機能が一層安定する。
【００１４】
なお、リニアアクチュエータの駆動部材として、一般的には直線駆動型ソレノイドのプランジャが用いられるが、例えばリニアステッピングモータの駆動出力軸等を用いてもよい。また、駆動部材の前端部（例えばプランジャヘッド）に取り付けられ、その駆動部材と一体的に前後移動する連結部材（例えばヘッドカバー）を介して、リニアアクチュエータと伝達部材とを接続することができる。この場合には連結部材と伝達部材とが、リニアアクチュエータの駆動力を回動体に伝達する伝達機構を構成する。
【００１５】
よって、これらの入賞装置において、回動体を第一位置から第二位置へ回動変位させようとする外力が回動体に加えられたとき、ロック機構の揺動阻止部が伝達部材の揺動軸線周りでの一方向側への回転を阻止することができる。
【００１６】
このように、駆動部材が突出位置から中間位置へ移動し、揺動阻止部に沿って伝達部材を後方移動させない限り、伝達部材は揺動軸線周りでの一方向側への回転を揺動阻止部によって阻まれる（阻止される）ので、揺動阻止部は不正な外力に対するロック機能を有している。
【００１７】
また、駆動部材が突出位置と中間位置との間を移動するとき、伝達部材の前後方向への移動を案内するとともに、突出位置及び中間位置において各々伝達部材の移動を停止するための移動案内部が固定側部材に一体形成されていてもよい。
【００１８】
ロック機構（揺動阻止部及び移動阻止部）に加えて、このような移動案内部を固定側部材に設けることによって、上記した駆動部材の先行動作と後続動作とは、伝達部材の前後移動又は揺動に明確に区分して伝達できる。したがって、駆動部材の作動に応じて伝達部材の作動を円滑に連係させることができる。
【００１９】
さらに、ロック機構の揺動阻止部と移動阻止部とは各々固定側部材に一体形成され、伝達部材に一体形成されたロック部が揺動阻止部及び／又は移動阻止部と係合することができる。
【００２０】
このように、伝達部材に一体形成されたロック部が、固定側部材に一体形成された揺動阻止部や移動阻止部に係合することによって、ロック機構の構成が簡素化され、入賞装置の簡素化・小型化とともに、部品点数や組立工数を減少させて製造コストの削減を図ることができる。
【００２１】
具体的には、ロック部が、揺動阻止部に係合しつつ駆動部材の移動軸線（プランジャ軸線）と平行状（プランジャ移動方向）に移動し、移動阻止部に係合しつつ揺動軸線周りで回転することによって、ロック機構が円滑に作動し、駆動部材の駆動力が回動体へ的確に伝達される。例えば、上記ロック部は、互いに一体形成された揺動阻止部と移動阻止部とに沿って摺動可能なロック片で構成したり、揺動軸の軸線方向全体又は一部に形成された円弧状（扇状）の切欠で構成したりすることができる。
【００２２】
ところで、固定側部材は、入賞口を有するとともに遊技盤の盤面に固定される台板を含み、
その台板には、前後方向に貫通する挿通孔が入賞口に隣接して形成され、
回動体が第一位置にあるとき、軸状のロック解除具が台板及び遊技盤を貫通するように前方側から挿通孔に挿入され、そのロック解除具の先端部が伝達部材を押圧して揺動阻止部に沿って後方へ移動させることにより、ロック機構のロック状態を解除して回動体の第一位置から第二位置への回動変位を可能とすることができる。
【００２３】
一般に、遊技店においては次のような事情がある。例えば閉店間際に確変大当たりに当選したときには、大当たり終了後に確変状態（当選確率が高確率状態）に移行し、次回の大当たり発生がほぼ確定していることになるから、このような場合に遊技店としては遊技者に対して出玉補償を行う場合がある。台板に形成された挿通孔に軸状のロック解除具を挿入することによって、遊技店員によるロック機構のロック状態解除操作を可能にし、閉店間際の確変大当たりの際の出玉補償等を容易に行える。しかも、挿通孔は、前後方向（例えば、伝達部材のロック部の前後移動方向と一致する方向）に貫通しているので、ロック解除具を挿通孔に挿入するだけで伝達部材（のロック部）を押圧することができ、ロック状態解除操作に熟練を要さず、ロック解除具を折損しにくい。
【００２４】
具体的には、上記ロック解除具は１本のロック解除ピンで構成でき、例えば、ロック解除ピンによって上記したロック片を押したり、上記した切欠付きの揺動軸を押したりすることができる。
【００２５】
そこで、上記課題を解決するために、本発明の遊技機は、
以上のような遊技機用入賞装置が遊技盤に固定配置されたことを特徴とする。
【００２６】
このように、伝達部材（例えば揺動アーム）が前後移動することにより、また駆動力の伝達機能と不正な外力に対するロック機能との兼用構成を備えることにより、入賞装置の簡素化・小型化を図ることができ、興趣に富む盤面構成を有する遊技機を容易に実現することができる。
【発明を実施するための最良の形態】
【００２７】
（実施例１）
以下、本発明の実施の形態を図面を参照しつつ説明する。図１は本発明に係る遊技機用入賞装置（以下、単に入賞装置ともいう）を備えたパチンコ機を例示する正面図、図２は本発明に係る入賞装置の一例である大入賞装置について、台板を省略するとともに一部破断して示す全体斜視図、図３はその分解斜視図である。図１に示すように、パチンコ機１（遊技機）の遊技盤２の盤面（前面）には、ほぼ左半周が内外２本の発射レール２ｂによって区画され、全体として円形の遊技領域２ａが形成されている。遊技領域２ａの中央には液晶表示部３が搭載され、液晶表示部３の下方（遊技領域２ａの中央下部）に大入賞装置４（入賞装置）が配置されている。また、液晶表示部３と大入賞装置４との間には、電動チューリップ（電チュー）にて構成される始動入賞装置７（入賞装置）が配置されている。
【００２８】
この大入賞装置４は、高分子材料（例えばＡＢＳ樹脂等の合成樹脂）製の台板５によって遊技盤２に固定されている。この台板５は、厚さ方向（前後方向）に貫通形成されるとともに、遊技領域２ａにおける流下方向を上下方向としその交差（例えば直交）方向である左右方向を長手方向として開口する矩形状の大入賞口５ａ（入賞口）を有する（図４参照）。したがって、発射レール２ｂから打ち出された遊技球（図示せず）は、遊技盤２の盤面上に形成された遊技領域２ａから大入賞口５ａを通過して後方側の入賞領域４ａへ導入される（図６，図７参照）。
【００２９】
本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者側（手前側）が前方側であり、その反対側（奥側）が後方側となる。
【００３０】
図２において、大入賞装置４を構成する台板５（図１参照）の後面（裏面）には、高分子材料（例えば例えばポリカーボネート（ＰＣ）等の合成樹脂）製のケーシング６（固定側部材）が取り付けられている。ケーシング６は上側ケース体６Ｕ（固定側部材）と下側ケース体６Ｄ（固定側部材）とから構成され、両ケース体６Ｕ，６Ｄが一体化されるとともに、いずれか一方のケース体（例えば上側ケース体６Ｕ）が台板５に固定されている。
【００３１】
大入賞装置４は、大入賞口５ａ（図１参照）に対応して配置される入賞扉１０（回動体）と、前後方向でプランジャ２１（駆動部材）が直線的に変位するように配置される直線駆動型のソレノイド２０（リニアアクチュエータ）と、入賞扉１０とソレノイド２０との間に配置されプランジャ２１の駆動力を入賞扉１０に伝達する伝達機構５０とを備えている。そして、大入賞装置４の主要部をなす入賞扉１０，ソレノイド２０，伝達機構５０は、ケーシング６に収容・載置されている。なお、ケーシング６には、大入賞装置４への入賞球を検知するための近接スイッチ（入賞球検出器）、大入賞装置４の内部を照明するための発光基板等も収容されているが、いずれも図示を省略した。
【００３２】
図３に示すように、入賞扉１０は、正面視において左右方向が長手方向となる矩形状の板状形態をなし、大入賞口５ａ（図１参照）を塞いでいる。具体的には、入賞扉１０は、大入賞口５ａに対応して前方側が開放された上側ケース体６Ｕの前端部に配置され、遊技盤２（図１参照）と平行状で大入賞口５ａの下辺に沿って延びる回動軸線Ｏ１周りに回動可能に下側ケース体６Ｄに軸支されている。なお、入賞扉１０を台板５（図１参照）に軸支する形態としてもよい。このようにして入賞扉１０は、遊技盤２に沿って起立することにより大入賞口５ａを閉鎖して遊技球の入賞領域４ａ（図６，図７参照）への導入を不能とする閉鎖位置（第一位置；図２，図４参照）と、遊技領域２ａ（図１参照）へ交差状に突出することにより大入賞口５ａを開放して遊技球の入賞領域４ａへの導入を可能とする開放位置（第二位置；図６，図７参照）とに回動変位する。
【００３３】
入賞扉１０は、両側部下端に回動軸線Ｏ１に沿って左右に各々突出する回動軸１１，１１を有しており、この回動軸１１，１１が下側ケース体６Ｄに回転可能に支持されている（図２，図７参照）。なお、回動軸１１，１１の代わりに軸孔を形成して下側ケース体６Ｄ又は台板５（図１参照）側から軸支する形態としてもよい。また、入賞扉１０は、両側部で後方に延出する側壁部１２，１２が形成され、遊技者側から見て左側（一端部側）の側壁部１２の後端部には、丸軸状の突起部１３が左側端面から外側に向けて回動軸線Ｏ１と平行状に突出形成されている。後述するように、突起部１３は伝達機構５０（後述する揺動アーム４０）からの作用を受ける被作用部を構成する。
【００３４】
ソレノイド２０は、入賞扉１０の左側端部において前後方向に配置され、ソレノイドケース２９から突出する前端部にヘッド部２２が形成されたプランジャ２１と、ソレノイドケース２９と後述するヘッドカバー３０との間に介装された圧縮コイルばね２３（弾発部材）とを有する。ソレノイド２０は、ヘッド部２２を前方側の突出位置（図４参照）と後方側の後退位置（図６参照）とでそれぞれ保持することにより、入賞扉１０を回動軸線Ｏ１周りで回動して閉鎖位置（図４参照）と開放位置（図６参照）とに変位させる。具体的には、通常状態ではソレノイド２０は消磁され、圧縮コイルばね２３がプランジャ２１を突出位置に向けて付勢し、入賞扉１０を閉鎖位置に保持する（変位させる）。一方、大当たり状態ではソレノイド２０は励磁され、圧縮コイルばね２３の付勢力に抗してプランジャ２１が後退位置に移動し、入賞扉１０を開放位置に保持する（変位させる）。
【００３５】
なお、符号２４は、圧縮コイルばね２３とともにプランジャ２１に挿通されたとき、ヘッドカバー３０側でその圧縮コイルばね２３を受けることのできるばね受け部材（例えば座金）を示す。この座金２４が圧縮コイルばね２３の付勢力をヘッドカバー３０の外面で受け止めることによって、後述するヘッドカバー３０に形成された保持部３３に圧縮コイルばね２３が侵入できなくなる。これにより、保持部３３はプランジャ２１のヘッド部２２と座金２４とで確実に保持される。
【００３６】
次に、伝達機構５０は、入賞扉１０の左側端部においてプランジャ軸線Ｏ３方向に沿って前後方向に配置されている。この伝達機構５０は、プランジャ２１のヘッド部２２に取り付けられ、ヘッド部２２と一体的に前後移動するヘッドカバー３０（連結部材）と、入賞扉１０の回動軸線Ｏ１よりも後方においてその回動軸線Ｏ１と平行状に配置された揺動軸線Ｏ２周りで揺動するとともに、ヘッドカバー３０と係合する揺動アーム４０（伝達部材）とを有する。揺動アーム４０は、ソレノイド２０のプランジャ２１のヘッド部２２が突出位置に変位したとき入賞扉１０を閉鎖位置に変位させ（図４参照）、プランジャ２１のヘッド部２２が後退位置に変位したとき入賞扉１０を開放位置に変位させるように（図６参照）、プランジャ２１の駆動力をヘッドカバー３０を介して入賞扉１０へ伝達する。なお、揺動軸線Ｏ２はプランジャ軸線Ｏ３と直交している（図４〜図６参照）。
【００３７】
ヘッドカバー３０は、長孔状凹部３２で揺動アーム４０の両側面にそれぞれ一体成形された筒状揺動軸４２（揺動軸）を摺動案内しつつ（図４〜図６参照）、揺動軸線Ｏ２（筒状揺動軸４２）と平行状に突出する係合ピン３１が、後述する第一アーム４０ａの第一切欠状凹部４１に挿入（配置）されるとともに、保持部３３がプランジャ２１のヘッド部２２に保持されている。
【００３８】
揺動アーム４０は、屈曲形状に形成され、ヘッドカバー３０と接続可能な第一アーム４０ａ（第一揺動部）と、回動軸線Ｏ１よりも後方で入賞扉１０に当接（係合）可能な第二アーム４０ｂ（第二揺動部）とを含む。具体的には、第一アーム４０ａには、外周縁の一部を除去して第一切欠状凹部４１が上方側に開放形成されている。そして、第一切欠状凹部４１がヘッドカバー３０から突出する係合ピン３１に係合することにより、第一アーム４０ａ（揺動アーム４０）は、プランジャ２１（ヘッドカバー３０）の移動に伴う前後方向への直線的な変位（図４，図５参照）と、筒状揺動軸４２（揺動軸線Ｏ２）周りでの揺動変位（図５，図６参照）とが可能である。一方、第二アーム４０ｂには、外周縁の一部を除去して第二切欠状凹部４３が前方側に開放形成されている。第二切欠状凹部４３は、回動軸線Ｏ１よりも後方側で側壁部１２の突起部１３に係合することにより、入賞扉１０を閉鎖位置（図４参照）又は開放位置（図６参照）に維持可能である。
【００３９】
図２に戻り、ケーシング６（上側ケース体６Ｕ及び下側ケース体６Ｄ）と揺動アーム４０との間にはロック機構が備えられている。このロック機構は、揺動アーム４０の前後方向の移動を許容しつつ揺動軸線Ｏ２周りでの揺動を阻止するために、上側ケース体６Ｕ及び下側ケース体６Ｄの外周壁から内側に向けてそれぞれ突出形成され、所定の間隔で前後方向に延びる上下一対の直線状壁部６１，６２（揺動阻止部）と、揺動アーム４０の揺動軸線Ｏ２周りでの揺動を許容しつつ前後方向の移動を阻止するために、上側ケース体６Ｕの外周壁から内側に向けて突出形成された円弧形状の湾曲状壁部６３（移動阻止部）とを含む。
【００４０】
具体的には、上側直線状壁部６１と湾曲状壁部６３とは一体的に連結された形態で、上側ケース体６Ｕと一体成形されている。下側直線状壁部６２は下側ケース体６Ｄと一体成形されている。また、揺動アーム４０（第二アーム４０ｂ）にはロック片４４（ロック部；ロック機構）が、ケーシング６の外周壁に向かう形態で一体成形され、上側直線状壁部６１と下側直線状壁部６２とに沿って前後方向に摺動（直線移動）するとともに（図５参照）、揺動軸線Ｏ２周りで湾曲状壁部６３に沿って摺動（回転移動）する（図６，図７参照）。なお、揺動アーム４０のロック片４４は、プランジャ２１（ヘッドカバー３０）の突出位置において、側面視でプランジャ軸線Ｏ３の延長線上に位置する（図４参照）。
【００４１】
これによって、プランジャ２１が突出位置から後退位置に移動して入賞扉１０を閉鎖位置から開放位置に回動変位させる際、突出位置を起点とし突出位置と後退位置との中間位置へ至る先行動作により、直線状壁部６１，６２に沿って揺動アーム４０（のロック片４４）を後方に移動させる。その後、中間位置から終点の後退位置へ至る後続動作により、湾曲状壁部６３において揺動アーム４０（のロック片４４）を揺動軸線Ｏ２周りで一方向側（図６で反時計回り）に回転する。具体的な作動は後述する。
【００４２】
一方、プランジャ２１が後退位置から突出位置に移動して入賞扉１０を開放位置から閉鎖位置に回動変位させる際、後退位置を起点とし中間位置へ至る先行動作により、湾曲状壁部６３において（前方への移動を阻止しつつ）揺動アーム４０（のロック片４４）を揺動軸線Ｏ２周りで他方向側（図６で時計回り）に回転させる。その後、中間位置から終点の突出位置へ至る後続動作により、直線状壁部６１，６２に沿って揺動アーム４０（のロック片４４）を前方に移動させる。具体的な作動は後述する。
【００４３】
また、入賞扉１０を突出位置から後退位置へ回動変位させようとする外力が入賞扉１０に加えられたとき、ロック機構の直線状壁部６１，６２が、揺動アーム４０（のロック片４４）の揺動軸線Ｏ２周りでの一方向側（図４で反時計回り）への回転を阻止する。具体的な作動は後述する。
【００４４】
さらに、図２，図３，図７に示すように、下側ケース体６Ｄには、左右方向で対向配置された一対のガイド部６４，６４（移動案内部）が一体成形されている。ガイド部６４は、プランジャ２１（ヘッドカバー３０）が突出位置（図４参照）と中間位置（図５参照）との間を移動するときに、揺動アーム４０の筒状揺動軸４２が前後方向へ移動するのを左右で摺動案内する摺動壁部６４ａ（摺動部）と、摺動壁部６４ａの前後端部から対向する側に向けて鉤状に突出形成され、突出位置及び中間位置においてそれぞれ筒状揺動軸４２の移動を停止する前方側停止壁部６４ｂ（前方側停止部），後方側停止壁部６４ｃ（後方側停止部）とを含む。
【００４５】
ロック機構（直線状壁部６１，６２、湾曲状壁部６３及びロック片４４）に加えて、このようなガイド部６４を下側ケース体６Ｄに設けることによって、上記したプランジャ２１（ヘッドカバー３０）の先行動作と後続動作とは、揺動アーム４０の筒状揺動軸４２の前後移動と揺動とに明確に区分して伝達される。したがって、プランジャ２１（ヘッドカバー３０）の作動に応じて揺動アーム４０（筒状揺動軸４２）の作動が円滑に連係される。なお、湾曲状壁部６３が前方側の移動阻止部（ロック機構）を構成するのに対して、後方側停止壁部６４ｃは後方側の移動阻止部（ロック機構）を兼用している。
【００４６】
図１，図８に示すように、台板５には、大入賞口５ａに隣接して前後方向（すなわち、揺動アーム４０のロック片４４の前後移動方向と一致する方向で、プランジャ軸線Ｏ３と平行）に貫通する挿通孔５ｂが形成されている。挿通孔５ｂにロック解除ピン３００を挿入することで、ロック機構のロック状態が解除される。
【００４７】
次に、図４〜図６及び図８を用いて、以上のような構成を有する大入賞装置４の作動について説明する。
【００４８】
＜通常状態＝閉鎖位置＞（図４）
通常状態（非大当たり状態）では、ソレノイド２０が消磁され、圧縮コイルばね２３がプランジャ２１を突出位置に向けて付勢し、入賞扉１０を閉鎖位置に保持する。具体的には、ソレノイド２０のプランジャ２１が後退位置（図６）から中間位置（図５）へ前進変位するとき、ヘッドカバー３０の係合ピン３１が揺動アーム４０の第一切欠状凹部４１を前進させようとするが、揺動アーム４０のロック片４４は湾曲状壁部６３で前方への移動を阻止されているため、湾曲状壁部６３に沿って揺動軸線Ｏ２を中心に図６で時計回り（破線矢印方向）に回転する。これによって、入賞扉１０は回動軸線Ｏ１を中心に図６で反時計回り（破線矢印方向）に回転し、大入賞口５ａが閉鎖される。
【００４９】
続いてプランジャ２１が中間位置（図５）から突出位置（図４）へ前進変位するとき、係合ピン３１が第一切欠状凹部４１を前進させるので、揺動アーム４０の筒状揺動軸４２は前方側停止壁部６４ｂに当接するまでヘッドカバー３０の長孔状凹部３２とともに前進し、ロック片４４は直線状壁部６１，６２に沿って図５で前方（破線矢印方向）に移動して、ロック機構が作動する。
【００５０】
＜大当たり状態＝開放位置＞（図６）
大当たり状態ではソレノイド２０が励磁され、圧縮コイルばね２３の付勢力に抗してプランジャ２１が後退位置に移動し、入賞扉１０を開放位置に保持する。具体的には、プランジャ２１が突出位置（図４）から中間位置（図５）へ後退変位するとき、係合ピン３１が第一切欠状凹部４１を後退させるので、筒状揺動軸４２は後方側停止壁部６４ｃに当接するまで長孔状凹部３２とともに後退し、ロック片４４は直線状壁部６１，６２に沿って図５で後方（実線矢印方向）に移動して、ロック機構が解除される。
【００５１】
続いてプランジャ２１が中間位置（図５）から後退位置（図６）へ後退変位するとき、係合ピン３１が第一切欠状凹部４１を後退させようとするが、筒状揺動軸４２は後方側停止壁部６４ｃで後方への移動を阻止（停止）されているため、（ロック片４４が湾曲状壁部６３に沿う形態で）揺動軸線Ｏ２を中心に図６で反時計回り（実線矢印方向）に回転する。これによって、入賞扉１０は回動軸線Ｏ１を中心に図６で時計回り（実線矢印方向）に回転し、大入賞口５ａが開放されるので、遊技領域２ａを流下する遊技球は入賞領域４ａに導入されるようになる。
【００５２】
＜ロック状態＝閉鎖位置＞（図４）
入賞扉１０を閉鎖位置（図４）から開放位置（図６）へ回動変位させようとする外力が入賞扉１０に加えられたとき、揺動アーム４０のロック片４４と上下の直線状壁部６１，６２とによって、揺動アーム４０が揺動軸線Ｏ２を中心に図４で反時計回りに回転するのを阻止（ロック）している。これによって、入賞扉１０は閉鎖位置に維持される。
【００５３】
＜ロック解除状態＞（図８）
入賞扉１０が閉鎖位置にあるとき、出玉補償等を行うために遊技店員が台板５の挿通孔５ｂにロック解除ピン３００を挿入すると（図８（ａ））、ロック解除ピン３００の先端部が揺動アーム４０のロック片４４を押圧し、上下の直線状壁部６１，６２に沿って後方の中間位置へ移動する（図８（ｂ））。ロック片４４と上下の直線状壁部６１，６２との係合が外れることによって、揺動アーム４０の揺動阻止状態が解除されるので、入賞扉１０の上端部を指で保持して中間位置から開放位置へ回動変位させ、遊技球を入賞領域４ａに導入することができる（図８（ｃ））。
【００５４】
このように、揺動アーム４０の揺動軸線Ｏ２（筒状揺動軸４２）が前後移動することにより、大入賞装置４の構造を大幅に小型化できる。また、揺動アーム４０とケーシング６との間に、上下の直線状壁部６１，６２（揺動阻止部）と湾曲状壁部６３及び後方側停止壁部６４ｃ（移動阻止部）とを含むロック機構が配置され、これらの揺動アーム４０とロック機構とは、駆動力の伝達機能と、不正な外力に対するロック機能とを兼ねる構成を備えている。このような兼用構成によって、駆動力の伝達機能と不正な外力に対するロック機能とを安定して発揮するとともに、部品点数や組立工数の増加を抑制して大入賞装置４の簡素化・小型化を図り、ひいては遊技盤２の盤面（遊技領域２ａ）を有効活用できる。
【００５５】
さらに、プランジャ２１（ヘッドカバー３０）が突出位置から中間位置へ移動し、上下の直線状壁部６１，６２に沿って揺動アーム４０のロック片４４を後方移動させない限り、揺動アーム４０は揺動軸線Ｏ２周りでの回転を直線状壁部６１，６２によって阻まれている。これによって、直線状壁部６１，６２は不正な外力に対して確実にロック機能を発揮することができる。しかも、ロック解除ピン３００を挿通孔５ｂに挿入して揺動アーム４０のロック片４４を押圧するだけで上記ロック機能を容易に解除することができるので、出玉補償等を行う際のロック状態解除操作に熟練を要さず、ロック解除ピン３００を折損しにくい。
【００５６】
（変更例）
図９は大入賞装置の組立変更例を示す主要部の分解斜視図である。図９に示す大入賞装置４（遊技機用入賞装置）では、実施例１（図３）において上下のケース体６Ｕ，６Ｄに分散配置されたロック機構とガイド部６４（移動案内部）とを本体ケース６Ｍ（固定側部材）に集中配置しているので、組み付け等の製造コストをさらに削減できる。
【００５７】
具体的には、高分子材料（例えば例えばポリカーボネート（ＰＣ）等の合成樹脂）製でトンネル状に形成された本体ケース６Ｍには、伝達機構５０の主要部が収容されるとともに、ロック機構を構成する上下の直線状壁部６１，６２（揺動阻止部）及び湾曲状壁部６３（移動阻止部）と、左右一対のガイド部６４，６４を各々構成する摺動壁部６４ａ（摺動部）及び前方側停止壁部６４ｂ（前方側停止部）とが一体成形されている。なお、符号６Ｃは、ソレノイド２０（リニアアクチュエータ）を上方から覆い、ビス等の締結部材６５によってソレノイドケース２９と本体ケース６Ｍとに固定される蓋体を示し、後方側停止壁部６４ｃ（後方側停止部）が一体成形されている。したがって、この例では上下のケース体６Ｕ，６Ｄを使用しなくてもよい。
【００５８】
（実施例２）
図１０は大入賞装置の他の例について、台板を省略するとともに一部分解して示す斜視図、図１１はその主要部を分解して示す斜視図、図１２は図１０の側面断面図である。図１０に示す大入賞装置１０４（遊技機用入賞装置）においても、ケーシング６は上側ケース体６Ｕ（固定側部材）と下側ケース体６Ｄ（固定側部材）とから構成され、両ケース体６Ｕ，６Ｄが一体化されるとともに、いずれか一方のケース体（例えば下側ケース体６Ｄ）が台板５に固定されている。図１０及び図１１に示すように、大入賞装置１０４は、入賞扉１０（回動体）と、直線駆動型のソレノイド２０（リニアアクチュエータ）と、伝達機構１５０とを備え、伝達機構１５０は、ヘッドカバー３０（連結部材）と、揺動アーム１４０（伝達部材）とを有する。
【００５９】
図１２に示すように、ケーシング６には、揺動アーム１４０の両側面にそれぞれ一体成形された筒状揺動軸１４２（揺動軸）を収容するために、上側ケース体６Ｕ又は下側ケース体６Ｄから一体的に延出する壁部によって周囲を囲まれた揺動軸収容空間１６０，１６０が、左右方向に対向配置されて一対形成されている。また、ケーシング６（上側ケース体６Ｕ及び下側ケース体６Ｄ）と揺動アーム１４０との間にはロック機構が備えられている。
【００６０】
揺動軸収容空間１６０は、下側ケース体６Ｄに一体成形された前方壁部１６１、突出壁部１６２及び底壁部１６５（摺動部）と、上側ケース体６Ｕに一体成形された後方壁部１６３（後方側停止部；移動阻止部；ロック機構）及び天井壁部１６４（摺動部）とによって前後上下を囲まれて、ポケット状の空間を呈する。筒状揺動軸１４２の両端部は、各揺動軸収容空間１６０において、前後方向の移動と揺動軸線Ｏ２周りでの揺動とが可能となるように収容されている。
【００６１】
揺動軸収容空間１６０を形成する突出壁部１６２は、前方壁部１６１の上端部から後方へ庇状に水平に延出している。突出壁部１６２の先端面（後端面）には、揺動アーム１４０の揺動軸線Ｏ２周りでの揺動を許容しつつ前方移動を阻止するための移動阻止面１６２ａ（移動阻止部；ロック機構）が形成される一方、突出壁部１６２の下面には、揺動アーム１４０の前後方向の移動を許容しつつ揺動軸線Ｏ２周りでの揺動を阻止するための揺動阻止面１６２ｂ（揺動阻止部；ロック機構）が形成されている。
【００６２】
さらに、筒状揺動軸１４２（揺動軸線Ｏ２）の軸線方向両端部（突出壁部１６２と接触する範囲）には、周方向に所定角度（例えば９０°）で切り欠かれた円弧状（扇状）の切欠部１４２ａ（ロック部；ロック機構）が形成され、突出壁部１６２の移動阻止面１６２ａと係合して揺動アーム１４０の前方移動を阻止する一方、揺動阻止面１６２ｂと係合して揺動アーム１４０の揺動を阻止する。なお、このロック機構において、移動阻止面１６２ａは前方側停止部を兼用し、後方壁部１６３は揺動アーム１４０の揺動軸線Ｏ２周りでの揺動を許容しつつ後方移動を阻止する移動阻止部（ロック機構）を兼用する。ところで、突出壁部１６２の下面（揺動阻止面１６２ｂ）は天井壁部１６４の下面よりも下方に位置して、上下方向の段差を形成している。また、天井壁部１６４の下面は、筒状揺動軸１４２に上方から接触して、筒状揺動軸１４２の前後方向への移動と揺動軸線Ｏ２周りでの回転（揺動）とを保持している。
【００６３】
図１２，図１６に示すように、台板５には、大入賞口５ａに隣接して前後方向（すなわち、プランジャ軸線Ｏ３と平行）に貫通する挿通孔５ｂが形成されている。挿通孔５ｂにロック解除ピン３００を挿入することで、ロック機構のロック状態が解除される。
【００６４】
次に、図１２、図１３〜図１５及び図１６を用いて、以上のような構成を有する大入賞装置１０４の作動について説明する。
【００６５】
＜通常状態＝閉鎖位置＞（図１２，図１３）
通常状態（非大当たり状態）では、ソレノイド２０が消磁され、圧縮コイルばね２３がプランジャ２１を突出位置に向けて付勢し、入賞扉１０を閉鎖位置に保持する。具体的には、ソレノイド２０のプランジャ２１が後退位置（図１５）から中間位置（図１４）へ前進変位するとき、ヘッドカバー３０の係合ピン３１が揺動アーム１４０の第一切欠状凹部４１を前進させようとするが、揺動アーム１４０は突出壁部１６２の移動阻止面１６２ａで前方への移動を阻止されているため、後方壁部１６３において揺動軸線Ｏ２を中心に図１５で時計回り（破線矢印方向）に回転する。これによって、入賞扉１０は回動軸線Ｏ１を中心に図１５で反時計回り（破線矢印方向）に回転し、大入賞口５ａが閉鎖される。
【００６６】
続いてプランジャ２１が中間位置（図１４）から突出位置（図１３）へ前進変位するとき、係合ピン３１が第一切欠状凹部４１を前進させるので、揺動アーム１４０の筒状揺動軸１４２は、切欠部１４２ａが移動阻止面１６２ａに当接するまでヘッドカバー３０の長孔状凹部３２とともに天井壁部１６４及び底壁部１６５に沿って図１４で前方（破線矢印方向）に移動して、ロック機構が作動する。
【００６７】
＜大当たり状態＝開放位置＞（図１２，図１５）
大当たり状態ではソレノイド２０が励磁され、圧縮コイルばね２３の付勢力に抗してプランジャ２１が後退位置に移動し、入賞扉１０を開放位置に保持する。具体的には、プランジャ２１が突出位置（図１３）から中間位置（図１４）へ後退変位するとき、係合ピン３１が第一切欠状凹部４１を後退させるので、筒状揺動軸１４２は、後方壁部１６３に当接するまで長孔状凹部３２とともに天井壁部１６４及び底壁部１６５に沿って図１４で後方（実線矢印方向）に移動して、ロック機構が解除される。
【００６８】
続いてプランジャ２１が中間位置（図１４）から後退位置（図１５）へ後退変位するとき、係合ピン３１が第一切欠状凹部４１を後退させようとするが、筒状揺動軸１４２は後方壁部１６３で後方への移動を阻止（停止）されているため、揺動軸線Ｏ２を中心に図１５で反時計回り（実線矢印方向）に回転する。これによって、入賞扉１０は回動軸線Ｏ１を中心に図１５で時計回り（実線矢印方向）に回転し、大入賞口５ａが開放されるので、遊技領域２ａを流下する遊技球は入賞領域４ａに導入されるようになる。
【００６９】
＜ロック状態＝閉鎖位置＞（図１２，図１３）
入賞扉１０を閉鎖位置（図１３）から開放位置（図１５）へ回動変位させようとする外力が入賞扉１０に加えられたとき、筒状揺動軸１４２の切欠部１４２ａと突出壁部１６２の揺動阻止面１６２ｂとによって、揺動アーム１４０が揺動軸線Ｏ２を中心に図１３で反時計回りに回転するのを阻止（ロック）している。これによって、入賞扉１０は閉鎖位置に維持される。
【００７０】
＜ロック解除状態＞（図１２，図１６）
入賞扉１０が閉鎖位置にあるとき、出玉補償等を行うために遊技店員が台板５の挿通孔５ｂにロック解除ピン３００を挿入すると（図１６（ａ））、ロック解除ピン３００の先端部が揺動アーム１４０の筒状揺動軸１４２を押圧し、天井壁部１６４及び底壁部１６５に沿って後方の中間位置へ移動する（図１６（ｂ））。切欠部１４２ａと揺動阻止面１６２ｂとの係合が外れることによって、揺動アーム１４０の揺動阻止状態が解除されるので、入賞扉１０の上端部を指で保持して中間位置から開放位置へ回動変位させ、遊技球を入賞領域４ａに導入することができる（図１６（ｃ））。
【００７１】
このように、筒状揺動軸１４２（揺動軸線Ｏ２）の切欠部１４２ａと、突出壁部１６２の移動阻止面１６２ａ及び揺動阻止面１６２ｂとでロック機構を構成するとともに、ガイド部（移動案内部）を兼用しているため、部品点数や組立工数を削減して大入賞装置１０４を一層簡素化・小型化することができる。
【００７２】
（実施例３）
図１７は大入賞装置のさらに他の例について、台板を省略して示す斜視図である。図１７に示す大入賞装置１０４’（遊技機用入賞装置）においても、ケーシング６は上側ケース体６Ｕ（固定側部材）と下側ケース体６Ｄ（固定側部材）とから構成され、両ケース体６Ｕ，６Ｄが一体化されるとともに、いずれか一方のケース体（例えば下側ケース体６Ｄ）が台板５に固定されている。図１７に示すように、大入賞装置１０４’は、入賞扉１０（回動体）と、直線駆動型のソレノイド２０（リニアアクチュエータ）と、伝達機構１５０’とを備え、伝達機構１５０’は、ヘッドカバー３０（連結部材）と、揺動アーム１４０’（伝達部材）とを有する。
【００７３】
図１７に示すように、ケーシング６には、揺動アーム１４０’に一体成形された揺動軸１４２’を収容するために、上側ケース体６Ｕ又は下側ケース体６Ｄから一体的に延出する壁部によって周囲を囲まれた揺動軸収容空間１６０’，１６０’が、左右方向に対向配置されて一対形成されている。また、ケーシング６（上側ケース体６Ｕ及び下側ケース体６Ｄ）と揺動アーム１４０’との間にはロック機構が備えられている。
【００７４】
揺動軸収容空間１６０’は、上側ケース体６Ｕに一体成形された前方壁部１６１’、突出壁部１６２’及び天井壁部１６４（摺動部）と、下側ケース体６Ｄに一体成形された後方壁部１６３’（後方側停止部；移動阻止部；ロック機構）及び底壁部１６５（摺動部）とによって前後上下を囲まれて、ポケット状の空間を呈する。揺動軸１４２’の両端部は、各揺動軸収容空間１６０’において、前後方向の移動と揺動軸線Ｏ２周りでの揺動とが可能となるように収容されている。
【００７５】
揺動軸収容空間１６０’を形成する突出壁部１６２’は、前方壁部１６１’の上端部から後方へ庇状に水平に延出している。突出壁部１６２’の先端面（後端面）には、揺動アーム１４０’の揺動軸線Ｏ２周りでの揺動を許容しつつ前方移動を阻止するための移動阻止面１６２ａ’（移動阻止部；ロック機構）が形成される一方、突出壁部１６２’の下面には、揺動アーム１４０’の前後方向の移動を許容しつつ揺動軸線Ｏ２周りでの揺動を阻止するための揺動阻止面１６２ｂ’（揺動阻止部；ロック機構）が形成されている。
【００７６】
さらに、揺動軸１４２’（揺動軸線Ｏ２）の軸線方向両端部には、周方向に所定角度（例えば９０°）で切り欠かれた円弧状（扇状）の切欠部１４２ａ’（ロック部；ロック機構）が形成され、突出壁部１６２’の移動阻止面１６２ａ’と係合して揺動アーム１４０’の前方移動を阻止する一方、揺動阻止面１６２ｂ’と係合して揺動アーム１４０’の揺動を阻止する。なお、このロック機構において、移動阻止面１６２ａ’は前方側停止部を兼用し、後方壁部１６３’は揺動アーム１４０’の揺動軸線Ｏ２周りでの揺動を許容しつつ後方移動を阻止する移動阻止部（ロック機構）を兼用する。ところで、突出壁部１６２’の下面（揺動阻止面１６２ｂ’）は天井壁部１６４の下面よりも下方に位置して、上下方向の段差を形成している。また、天井壁部１６４の下面は、筒状揺動軸１４２’に上方から接触して、筒状揺動軸１４２’の前後方向への移動と揺動軸線Ｏ２周りでの回転（揺動）とを保持している。
【００７７】
（実施例４）
図２１は本発明に係る入賞装置の他の例である始動入賞装置を示す側面図である。図２１に示す始動入賞装置７（遊技機用入賞装置；図１参照）においては、ケーシング９は前側ケース体９Ｆ（固定側部材）と後側ケース体９Ｒ（固定側部材）とから構成され、両ケース体９Ｆ，９Ｒが一体化されるとともに、いずれか一方のケース体（例えば前側ケース体９Ｆ）が台板８（図１参照）に固定されている。台板８は、厚さ方向（前後方向）に貫通形成される始動入賞口８ａ（入賞口）を有する。したがって、発射レール２ｂから打ち出された遊技球（図示せず）は、遊技盤２の盤面上に形成された遊技領域２ａから始動入賞口８ａを通過して後方側の入賞領域７ａへ導入される（図１参照）。
【００７８】
始動入賞装置７は、左右一対の回動翼片２１０，２１０（回動体）と、直線駆動型のソレノイド２０（リニアアクチュエータ）と、揺動アーム２４０（伝達部材；伝達機構）とを備えている。
【００７９】
回動翼片２１０は、遊技盤２（図１参照）と交差（例えば、直交）する回動軸線Ｏ１周りに回動可能となるように、回動軸２１１が台板８に軸支されている。一対の回動翼片２１０，２１０は、始動入賞口８ａの前方で起立することにより遊技球の入賞領域７ａへの導入を困難とする閉鎖位置（第一位置；図２２参照）と、左右方向の外側に倒れることにより遊技球の入賞領域７ａへの導入を容易とする開放位置（第二位置；図２４参照）とに回動変位する。また、回動翼片２１０には、丸軸状の突起部２１３が回動軸線Ｏ１と平行状に後方へ向けて突出形成されている。後述するように、突起部２１３は揺動アーム２４０の切欠状凹部２４３と係合し、ソレノイド２０からの作用（駆動力）を受ける被作用部を構成する。
【００８０】
揺動アーム２４０は、屈曲形状に形成され、プランジャ２１のヘッド部２２と接続可能な第一アーム２４０ａ（第一揺動部）と、回動翼片２１０に当接（係合）可能な第二アーム２４０ｂ（第二揺動部）とを含む。具体的には、第一アーム２４０ａには、プランジャ２１のヘッド部２２と直接接続する連結軸２４１が突出形成されている。これにより、第一アーム２４０ａ（揺動アーム２４０）は、プランジャ２１の移動に伴う前後方向への直線的な変位（図２３参照）と、遊技盤２と平行状に配置された揺動軸２４２（揺動軸線Ｏ２）周りでの揺動変位（図２４参照）とが可能である。一方、第二アーム２４０ｂには、外周縁の一部を除去して切欠状凹部２４３が前方側に開放形成されている。切欠状凹部２４３は、回動翼片２１０の突起部２１３に係合することにより、回動翼片２１０を閉鎖位置（図２２参照）又は開放位置（図２４参照）に維持可能である。
【００８１】
図２１に示すように、ケーシング９には、揺動アーム２４０に一体成形された揺動軸２４２を収容するために、前側ケース体９Ｆ又は後側ケース体９Ｒから一体的に延出する壁部によって周囲を囲まれた揺動軸収容空間２９０，２９０が、左右方向に対向配置されて一対形成されている。また、ケーシング９（前側ケース体９Ｆ及び後側ケース体９Ｒ）と揺動アーム２４０との間にはロック機構が備えられている。
【００８２】
揺動軸収容空間２９０は、前側ケース体９Ｆに一体成形された前方壁部２９１及び突出壁部２９２と、後側ケース体９Ｒに一体成形された後方壁部２９３（後方側停止部；移動阻止部；ロック機構）と、両ケース体９Ｆ，９Ｒに跨って形成された天井壁部２９４（摺動部）及び底壁部２９５（摺動部）とによって前後上下を囲まれて、ポケット状の空間を呈する。揺動軸２４２の両端部は、各揺動軸収容空間２９０において、前後方向の移動と揺動軸線Ｏ２周りでの揺動とが可能となるように収容されている。
【００８３】
揺動軸収容空間２９０を形成する突出壁部２９２は、前方壁部２９１の上端部から後方へ庇状に水平に延出している。突出壁部２９２の先端面（後端面）には、揺動アーム２４０の揺動軸線Ｏ２周りでの揺動を許容しつつ前方移動を阻止するための移動阻止面２９２ａ（移動阻止部；ロック機構）が形成される一方、突出壁部２９２の下面には、揺動アーム２４０の前後方向の移動を許容しつつ揺動軸線Ｏ２周りでの揺動を阻止するための揺動阻止面２９２ｂ（揺動阻止部；ロック機構）が形成されている。
【００８４】
さらに、揺動軸２４２（揺動軸線Ｏ２）の軸線方向両端部には、周方向に所定角度（例えば９０°）で切り欠かれた円弧状（扇状）の切欠部２４２ａ（ロック部；ロック機構）が形成され、突出壁部２９２の移動阻止面２９２ａと係合して揺動アーム２４０の前方移動を阻止する一方、揺動阻止面２９２ｂと係合して揺動アーム２４０の揺動を阻止する。なお、このロック機構において、移動阻止面２９２ａは前方側停止部を兼用し、後方壁部２９３は揺動アーム２４０の揺動軸線Ｏ２周りでの揺動を許容しつつ後方移動を阻止する移動阻止部（ロック機構）を兼用する。ところで、突出壁部２９２の下面（揺動阻止面２９２ｂ）は天井壁部２９４の下面よりも下方に位置して、上下方向の段差を形成している。また、天井壁部２９４の下面は、筒状揺動軸２４２に上方から接触して、筒状揺動軸２４２の前後方向への移動と揺動軸線Ｏ２周りでの回転（揺動）とを保持している。
【００８５】
なお、変更例（図９）、実施例２（図１０〜図１６）、実施例３（図１７〜図２０）及び実施例４（図２１〜図２４）において実施例１（図２〜図８）と共通する機能を有する部分にはそれぞれ同一符号を付して説明を省略する。また、図１８〜図２０（実施例３）に示す大入賞装置１０４’の作動及び図２２〜図２４（実施例４）に示す始動入賞装置７の作動は、いずれも図１３〜図１５（実施例２）に示す大入賞装置１０４の作動と同様である。
【００８６】
なお、以上の実施例では、大入賞装置（アタッカー）や電動チューリップ（電チュー）方式の始動入賞装置（スタートチャッカー）に適用した場合について説明したが、「羽根物」と通称されるセンター役物に適用してもよい。
【図面の簡単な説明】
【００８７】
【図１】本発明に係る入賞装置を備えたパチンコ機を例示する正面図。
【図２】本発明に係る入賞装置の一例である大入賞装置について、台板を省略するとともに一部破断して示す全体斜視図。
【図３】図２の分解斜視図。
【図４】図２で入賞扉が閉鎖位置にあるときの作動説明側面図。
【図５】同じく入賞扉が中間位置にあるときの作動説明側面図。
【図６】同じく入賞扉が開放位置にあるときの作動説明側面図。
【図７】図６に対応し、一部破断して示す全体斜視図。
【図８】ロック解除ピンによる入賞扉のロック解除操作を説明する主要部の側面断面図。
【図９】大入賞装置の組立変更例を示す主要部の分解斜視図。
【図１０】大入賞装置の他の例について、台板を省略するとともに一部分解して示す斜視図。
【図１１】図１０の主要部を分解して示す斜視図。
【図１２】図１０の側面断面図。
【図１３】図１２で入賞扉が閉鎖位置にあるときの作動説明側面図。
【図１４】同じく入賞扉が中間位置にあるときの作動説明側面図。
【図１５】同じく入賞扉が開放位置にあるときの作動説明側面図。
【図１６】ロック解除ピンによる入賞扉のロック解除操作を説明する主要部の平面断面図。
【図１７】大入賞装置のさらに他の例について、台板を省略して示す側面断面図。
【図１８】図１７で入賞扉が閉鎖位置にあるときの作動説明側面図。
【図１９】同じく入賞扉が中間位置にあるときの作動説明側面図。
【図２０】同じく入賞扉が開放位置にあるときの作動説明側面図。
【図２１】本発明に係る入賞装置の他の例である始動入賞装置を示す側面図。
【図２２】図２１で回動翼片が第一位置にあるときの作動説明側面図。
【図２３】同じく回動翼片が中間位置にあるときの作動説明側面図。
【図２４】同じく回動翼片が第二位置にあるときの作動説明側面図。
【符号の説明】
【００８８】
１        パチンコ機（遊技機）
２        遊技盤
２ａ      遊技領域
４        大入賞装置（遊技機用入賞装置）
４ａ      入賞領域
５        台板
５ａ      大入賞口（入賞口）
６        ケーシング（固定側部材）
６Ｕ      上側ケース体（固定側部材）
６１      上側直線状壁部（揺動阻止部；ロック機構）
６３      湾曲状壁部（移動阻止部；ロック機構）
６Ｄ      下側ケース体（固定側部材）
６２      下側直線状壁部（揺動阻止部；ロック機構）
６４      ガイド部（移動案内部）
６４ａ    摺動壁部（摺動部）
６４ｂ    前方側停止壁部（前方側停止部）
６４ｃ    後方側停止壁部（後方側停止部；移動阻止部；ロック機構）
７        始動入賞装置（遊技機用入賞装置；電動チューリップ（電チュー））
７ａ      入賞領域
８        台板
８ａ      始動入賞口（入賞口）
９        ケーシング（固定側部材）
９Ｆ      前側ケース体（固定側部材）
９Ｒ      後側ケース体（固定側部材）
１０      入賞扉（回動体）
１１      回動軸
２０      直線駆動型ソレノイド（リニアアクチュエータ）
２１      プランジャ（駆動部材）
２２      ヘッド部
２３      圧縮コイルばね（弾発部材）
３０      ヘッドカバー（連結部材）
４０      揺動アーム（伝達部材）
４２      筒状揺動軸（揺動軸）
４４      ロック片（ロック部；ロック機構）
５０      伝達機構
２１０    回動翼片（回動体）
２４０    揺動アーム（伝達部材；伝達機構）
３００    ロック解除ピン（ロック解除具）
Ｏ１      回動軸線
Ｏ２      揺動軸線
Ｏ３      プランジャ軸線（駆動部材の移動軸線）
【図１】
0005317323.tif 000002
【図２】
0005317323.tif 000003
【図３】
0005317323.tif 000004
【図４】
0005317323.tif 000005
【図５】
0005317323.tif 000006
【図６】
0005317323.tif 000007
【図７】
0005317323.tif 000008
【図８】
0005317323.tif 000009
【図９】
0005317323.tif 000010
【図１０】
0005317323.tif 000011
【図１１】
0005317323.tif 000012
【図１２】
0005317323.tif 000013
【図１３】
0005317323.tif 000014
【図１４】
0005317323.tif 000015
【図１５】
0005317323.tif 000016
【図１６】
0005317323.tif 000017
【図１７】
0005317323.tif 000018
【図１８】
0005317323.tif 000019
【図１９】
0005317323.tif 000020
【図２０】
0005317323.tif 000021
【図２１】
0005317323.tif 000022
【図２２】
0005317323.tif 000023
【図２３】
0005317323.tif 000024
【図２４】
0005317323.tif 000025